(57)【要約】【課題】カメラ付携帯電話機において、撮像位置を管理する場合、ＧＰＳ受信機などの装置を内蔵することなく実現する。【解決手段】基地局１１４より基地局識別情報を得て、これに対応した位置情報を予め格納したサーバ１１１に対して通信網１１２を介して送信し、このサーバから得られた基地局識別情報に対応した位置情報を受信して、撮像画像の位置情報として管理する。また、撮像前の所定タイミングで、例えば、電源投入時に、基地局識別情報を得、撮像直後に再度基地局識別情報を得て、ハンドオーバにより基地局が変わったときには、電源投入時と撮像直後とでは、位置情報が相違するので、撮像直後の位置情報を正しいものとして、その撮像画像の管理に用いる。【選択図】      図１
2005020331.tif 000002
【特許請求の範囲】
【請求項１】
基地局識別情報に対応した位置情報を用いて、撮像画像の撮像場所の管理をなすようにした携帯情報端末であって、
基地局識別情報を得て、これに対応した位置情報を予め格納したサーバに対して通信網を介して送信する識別情報送信手段と、
前記通信網を介して前記サーバから得られた前記基地局識別情報に対応した位置情報を受信して、撮像画像の位置情報として管理する画像管理手段と、
を含むことを特徴とする携帯情報端末。
【請求項２】
前記識別情報送信手段は、画像撮像前の第一のタイミングと撮像直後の第二のタイミングとで、基地局識別情報を得て、これに対応した位置情報を前記サーバに対して送信するようにしたことを特徴とする請求項１記載の携帯情報端末。
【請求項３】
前記画像管理手段は、前記識別情報送信手段による前記第一及び第二のタイミングにより得られた位置情報が互いに異なる場合、前記第二のタイミングで得られた位置情報を前記撮像画像の位置情報とすることを特徴とする請求項２記載の携帯情報端末。
【請求項４】
基地局識別情報に対応した位置情報を用いて、撮像画像の撮像場所の管理をなすようにした携帯情報端末であって、
基地局識別情報とこれに対応した位置情報とを予め格納した格納手段と、
画像撮像前の第一のタイミングと撮像直後の第二のタイミングとで、基地局識別情報を得て、これに対応した位置情報を前記格納手段より取得する手段と、
前記第一及び第二のタイミングで取得した位置情報が互いに異なる場合、前記第二のタイミングで得られた位置情報を前記撮像画像の位置情報として管理する手段と、
を含むことを特徴とする携帯情報端末。
【請求項５】
基地局識別情報に対応した位置情報を用いて、撮像画像の撮像場所の管理をなすようにした携帯情報端末における画像管理方法であって、
基地局識別情報を得て、これに対応した位置情報を予め格納したサーバに対して通信網を介して送信する識別情報送信ステップと、
前記通信網を介して前記サーバから得られた前記基地局識別情報に対応した位置情報を受信して、撮像画像の位置情報として管理する画像管理ステップと、
を含むことを特徴とする画像管理方法。
【請求項６】
前記識別情報送信ステップは、画像撮像前の第一のタイミングと撮像直後の第二のタイミングとで、基地局識別情報を得て、これに対応した位置情報を前記サーバに対して送信するようにしたことを特徴とする請求項５記載の画像管理方法。
【請求項７】
前記画像管理ステップは、前記識別情報送信ステップによる前記第一及び第二のタイミングにより得られた位置情報が互いに異なる場合、前記第二のタイミングで得られた位置情報を前記撮像画像の位置情報とすることを特徴とする請求項６記載の画像管理方法。
【請求項８】
基地局識別情報に対応した位置情報を用いて、撮像画像の撮像場所の管理をなすようにした携帯情報端末における画像管理方法であって、
画像撮像前の第一のタイミングと撮像直後の第二のタイミングとで、基地局識別情報を得て、これに対応した位置情報を、前記基地局識別情報とこれに対応した位置情報とを予め格納した格納手段より取得するステップと、
前記第一及び第二のタイミングで取得した位置情報が互いに異なる場合、前記第二のタイミングで得られた位置情報を前記撮像画像の位置情報として管理するステップと、
を含むことを特徴とする画像管理方法。
【請求項９】
基地局識別情報に対応した位置情報を用いて、撮像画像の撮像場所の管理をなすようにした携帯情報端末における画像管理方法をコンピュータにより実行させるためのプログラムであって、
基地局識別情報を得て、これに対応した位置情報を予め格納したサーバに対して通信網を介して送信する識別情報送信ステップと、
前記通信網を介して前記サーバから得られた前記基地局識別情報に対応した位置情報を受信して、撮像画像の位置情報として管理する画像管理ステップと、
を含むことを特徴とするプログラム。
【請求項１０】
基地局識別情報に対応した位置情報を用いて、撮像画像の撮像場所の管理をなすようにした携帯情報端末における画像管理方法をコンピュータにより実行させるためのプログラムであって、
画像撮像前の第一のタイミングと撮像直後の第二のタイミングとで、基地局識別情報を得て、これに対応した位置情報を、前記基地局識別情報とこれに対応した位置情報とを予め格納した格納手段より取得するステップと、
前記第一及び第二のタイミングで取得した位置情報が互いに異なる場合、前記第二のタイミングで得られた位置情報を前記撮像画像の位置情報として管理するステップと、
を含むことを特徴とするプログラム。
【発明の詳細な説明】
【０００１】
【発明の属する技術分野】
本発明は携帯情報端末及びその画像管理方法並びにプログラムに関し、特にカメラ付き携帯電話機における撮像画像の管理をなす画像管理方式に関するものである。
【０００２】
【従来の技術】
携帯情報端末である携帯電話機には、カメラ付きのものが多く用いられており、カメラによる撮像画像を管理するために、携帯電話機内蔵の時計による日付を用いることが一般的となっている。撮像画像を日付だけで管理することは、画像の管理情報不足であり、ユーザが編集するには不便である。
【０００３】
そこで、撮像画像の管理のために、日付けの他に、更に撮像場所を用いる技術が多く提案されている。その例として、ＧＰＳ（Ｇｌｏｂａｌ  Ｐｏｓｉｔｉｏｎｉｎｇ  Ｓｙｔｅｍ）を利用した技術がある（特許文献１，２参照）。このＧＰＳ技術を利用した方式では、ＧＰＳ受信機を搭載して、撮像場所の現在位置を検出して、撮像画像にこの現在位置情報を付加して管理するようになっている。
【０００４】
また、他の例として、携帯電話機の通信相手である無線基地局からその基地局の識別情報をもらって、この基地識別情報から位置情報を検索して、撮像画像の位置情報として管理する技術がある（特許文献３，４参照）。この場合、基地局識別情報から位置情報を検索するために、携帯電話機に検索用のＲＯＭテーブルを格納しておき、基地局識別情報に基づいてＲＯＭテーブルを検索して位置情報を読出すようになっている。
【０００５】
【特許文献１】
特開平１１−２９５８０２号公報
【０００６】
【特許文献２】
特開２００１−２１８１４７号公報
【０００７】
【特許文献３】
特開平１０−１５５０４６号公報
【０００８】
【特許文献４】
特開平１１−１７７８６９号公報
【０００９】
【発明が解決しようとする課題】
ＧＰＳを用いた技術では、携帯電話機にＧＰＳ受信機を内蔵することが必要であり、小型、軽量化、低コスト化、低消費電力化に逆行するという欠点がある。また、カメラで撮像した画像は、カメラから見た付近を撮影したものであり、ＧＰＳの様な厳密な位置情報を用いる必要は必ずしもないし、更には、画像を認識するには、ある程度の情報があれば、厳密なものでなくても画像内容を認識管理することはできるために、ＧＰＳ受信機の様な過度の装備を必要としない。
【００１０】
位置情報検索のために、ＲＯＭテーブルを用いる技術では、やはり携帯電話機にＲＯＭテーブルを内蔵する必要があり、メモリ容量の増大、コストアップをもたらし、またＲＯＭテーブルの情報の更新の問題もある。
【００１１】
また、携帯電話機では、移動に伴うハンドオーバの問題があり、通信相手の基地局の変更は避けられないものである。
【００１２】
本発明の目的は、ＧＰＳ受信機等の特別な装備を必要とすることなく簡単に位置情報を手得して撮像画像の管理が可能な携帯情報端末及びその画像管理方法並びにプログラムを提供することである。
【００１３】
本発明の他の目的は、移動に伴うハンドオーバによる基地局の変更に対して対処可能な携帯情報端末及びその画像管理方法並びにプログラムを提供することである。
【００１４】
【課題を解決するための手段】
本発明による携帯情報端末は、基地局識別情報に対応した位置情報を用いて撮像画像の撮像場所の管理をなすようにした携帯情報端末であって、基地局識別情報を得て、これに対応した位置情報を予め格納したサーバに対して通信網を介して送信する識別情報送信手段と、前記通信網を介して前記サーバから得られた前記基地局識別情報に対応した位置情報を受信して、撮像画像の位置情報として管理する画像管理手段とを含むことを特徴とする。
【００１５】
本発明による他の携帯情報端末は、基地局識別情報に対応した位置情報を用いて撮像画像の撮像場所の管理をなすようにした携帯情報端末であって、基地局識別情報とこれに対応した位置情報とを予め格納した格納手段と、画像撮像前の第一のタイミングと撮像直後の第二のタイミングとで、基地局識別情報を得て、これに対応した位置情報を前記格納手段より取得する手段と、前記第一及び第二のタイミングで取得した位置情報が互いに異なる場合、前記第二のタイミングで得られた位置情報を前記撮像画像の位置情報として管理する手段とを含むことを特徴とする。
【００１６】
本発明による画像管理方法は、基地局識別情報に対応した位置情報を用いて、撮像画像の撮像場所の管理をなすようにした携帯情報端末における画像管理方法であって、基地局識別情報を得て、これに対応した位置情報を予め格納したサーバに対して通信網を介して送信する識別情報送信ステップと、前記通信網を介して前記サーバから得られた前記基地局識別情報に対応した位置情報を受信して、撮像画像の位置情報として管理する画像管理ステップとを含むことを特徴とする。
【００１７】
本発明による他の画像管理方法は、基地局識別情報に対応した位置情報を用いて、撮像画像の撮像場所の管理をなすようにした携帯情報端末における画像管理方法であって、画像撮像前の第一のタイミングと撮像直後の第二のタイミングとで、基地局識別情報を得て、これに対応した位置情報を、前記基地局識別情報とこれに対応した位置情報とを予め格納した格納手段より取得するステップと、前記第一及び第二のタイミングで取得した位置情報が互いに異なる場合、前記第二のタイミングで得られた位置情報を前記撮像画像の位置情報として管理するステップとを含むことを特徴とする。
【００１８】
本発明によるプログラムは、基地局識別情報に対応した位置情報を用いて、撮像画像の撮像場所の管理をなすようにした携帯情報端末における画像管理方法をコンピュータにより実行させるためのプログラムであって、基地局識別情報を得て、これに対応した位置情報を予め格納したサーバに対して通信網を介して送信する識別情報送信ステップと、前記通信網を介して前記サーバから得られた前記基地局識別情報に対応した位置情報を受信して、撮像画像の位置情報として管理する画像管理ステップとを含むことを特徴とする。
【００１９】
本発明による他のプログラムは、基地局識別情報に対応した位置情報を用いて、撮像画像の撮像場所の管理をなすようにした携帯情報端末における画像管理方法をコンピュータにより実行させるためのプログラムであって、画像撮像前の第一のタイミングと撮像直後の第二のタイミングとで、基地局識別情報を得て、これに対応した位置情報を、前記基地局識別情報とこれに対応した位置情報とを予め格納した格納手段より取得するステップと、前記第一及び第二のタイミングで取得した位置情報が互いに異なる場合、前記第二のタイミングで得られた位置情報を前記撮像画像の位置情報として管理するステップとを含むことを特徴とする。
【００２０】
本発明の作用を述べる。基地局識別情報を得て、これに対応した位置情報を予め格納したサーバに対して通信網を介して送信し、このサーバから得られた基地局識別情報に対応した位置情報を受信して、撮像画像の位置情報として管理するようにしている。また、撮像前の所定タイミングで、例えば、電源投入時に、基地局識別情報を得、撮像直後に再度基地局識別情報を得て、ハンドオーバにより基地局が変わったときには、電源投入時と撮像直後とでは、位置情報が相違するので、撮像直後の位置情報を正しいものとして、その撮像画像の管理に用いるようにしている。
【００２１】
【発明の実施の形態】
以下に、図面を参照しつつ本発明の実施例について説明する。図１は本発明の一実施例を示す携帯電話機１００とシステム構成を示す図である。携帯電話機１００は基地局１１４と無線通信可能であり、基地局１１４は基地局制御装置１１３を介してネットワーク（通信網）１１２に接続されている。また、このネットワーク１１２には位置情報管理サーバ１１１が接続されている。
【００２２】
この位置情報管理サーバ１１１は、複数の基地局の識別情報とそれに対応する位置情報とが予め格納された位置情報用データベース（図示せず）を有しており、基地局識別情報を基に、このデータベースを検索することにより、基地局が設置されている位置情報を読出すことが可能である。
【００２３】
携帯情報端末１００はデジタルカメラ機能を有するものとし、アンテナ１０１、送受信部１０２、カメラ１０３、画像処理部１０４、カメラ制御部１０５、中央制御部１０６、表示部１０７、データメモリ部１０８、計時部１０９、キー操作部１１０を有して構成される。カメラ１０３で撮像した画像を保有するにあたっては、計時部１０９による日時情報の他に、位置情報をも付加することによって、保存画像に対するユーザ認識の向上を図るものである。
【００２４】
アンテナ１０１は、携帯電話機１００と基地局１１４との間の電波送信を効率良く行うための内蔵または伸縮式のものである。送受信部１０２は、アンテナ１０１を介して受信された基地局１１４からの信号をローカル発振周波数の信号に変換した後に復調し、この復調信号を中央制御部１０６へ出力すると共に、中央制御部１０６から出力された信号を変調した後、無線周波数に変換して基地局１１４へ送信するものである。
【００２５】
キー操作部１１０は数字キー、記号等のファンクションキーを備え、発着呼の操作、電話番号の登録操作を行うものである。また、その操作により生成される信号は、中央制御部１０６へ出力されるようになっている。
【００２６】
カメラ制御部１０５は、キー操作部１１０から生成される信号により、中央制御部１０６からカメラ撮像機能を有効とする命令信号を受けた際に、カメラ１０３の動作を制御するものである。カメラ１０３は撮像した被写体画像を光電変換により画像データとして生成するものである。画像処理部１０４は、カメラ１０３からの画像データに色処理等を行い、表示部１０８に表示するための画像データに加工するものである。
【００２７】
中央制御部１０６は、キー操作部１１０から各種の入力操作に応じた各部制御を一括して行うものであり、予めプログラム化された動作手順に従った制御を行う。
【００２８】
表示部１０７は、中央制御部１０６の表示命令に応じてデータメモリ部１０８に記憶されている画像データ、電話番号またはテキストデータ等を表示するものである。データメモリ部１０８は、電話番号、電話先の名前、名称、文字等のテキストデータ、画像データを記憶するものである。計時部１０９は計時機能を有している。
【００２９】
上述の携帯電話機１００は、幾つかの基地局から、通信する基地局１１４を表す基地局識別番号を受信して、その基地局識別番号を基地局１１４、基地制御装置１１３、ネットワーク１１２を介して、位置情報サーバ１１１へ送信する。位置情報サーバ１１１は、携帯電話機１００から基地局識別番号を受信すると、その受信した基地局識別番号に基づいて、携帯電話機１００が通信している基地局１１４の位置を特定して、その位置情報をネットワーク１１２、基地局制御局１１３、基地局１１４を介して、携帯電話機１００へ送信する。
【００３０】
本実施例の動作を図２で示すフローチャートを参照して説明する。まず、ステップ２０１において、電源投入により携帯電話機１００の起動を行う。この時、携帯電話機１００は、基地局１１４と無線通信できる様に、自機１００の初期化を行い通信可能状態にする。次に、ステップ２０２において、無線通信を行う基地局１１４から基地局識別番号を収集する。
【００３１】
携帯電話機１００は、図３に示すように、基地局１１４ａのセル範囲内ａにある場合、複数ある基地局１１４ａ〜ｃの中から基地局１１４ａの基地局識別番号を受信し、無線通信を行う。
【００３２】
次に、ステップ２０３において、無線通信を行う基地局１１４の場所を特定する。場所の特定については、図４を参照して説明する。基地局１１４ａを表す基地局識別番号を携帯電話機１００から無線通信機能を使用して、基地局１１４ａ、基地局制御装置１１３、ネットワーク１１２を通じて、位置情報サーバ１１１に送信し、位置情報サーバ１１１は、基地局１１４ａの場所データを基地局識別番号から検索し、携帯電話機１００に対して、ネットワーク１１２、基地局制御装置１１３、基地局１１４ａを通じて送信する。
【００３３】
次に、ステップ２０４においてカメラ１０３の起動を行い、ステップ２０５においてカメラによる撮像を行い、ステップ２０６においてこの撮像画像データを保存する。このカメラによる撮像の直後に、ステップ２０７において再度基地局識別番号を取得し、ステップ２０８において、ステップ２０２で取得した基地局識別番号とステップ２０７で取得した基地局識別番号とを比較し、変更がないか判別する。
【００３４】
ここで、通信基地局の変更手順について図３を用いて説明する。携帯電話機１００の移動に伴って、隣接する基地局のセル範囲内と通信基地局のセル範囲が重なり合う位置に移動した場合に、携帯電話機１００が周辺セルのキャリアの受信レベルを測定し、通信中セルよりも一定以上の品質の高い周辺セルが存在する場合ハンドオーバを行い品質の高い周辺セルの基地局と通信を行う。
【００３５】
すなわち、セル範囲内ａにある携帯電話機１００がセル範囲内ｂに移動するとき、通信品質がａ＜ｂになる場合は、基地局１１４ｂに対してハンドオーバを行い、通信基地局が基地局１１４ｂに変更される。従って、この場合、ステップ２０７において取得される基地局識別番号は、基地局１１４ａから基地局１１４ｂへと変更になるために、ステップ２０２及びステップ２０３で取得した番号と異なることになる。よって、ステップ２１０において、通信基地局の場所を再度特定することにより、電源投入当初の位置情報ではなく、最新の基地局識別情報に対する位置情報を得ることができ、直前の撮像画像の撮像位置が正しく取得されることになる。
【００３６】
最後に、ステップ２０９において、保存した画像データに自動タイトルを作成する際に、日付と位置情報を添付することになる。
【００３７】
以上述べた手順により得られた携帯電話機１００のデータメモリ部１０８に保存している画像データのタイトルを、図５に示す様に、表示部１０７に一覧表示することにより、この情報によって、いつ何処で撮影したかが分かり、ユーザが画像内容を容易に認識できることになる。
【００３８】
上記の実施例で説明した位置のタイトル表示は画像だけでなく、音声メモ、テキストデータのタイトルとしても使用は可能である。また、タイトルだけではなく、図６に示す画像情報の様に、タイトル名、フォーマット、保存容量など画像の情報一覧に撮影日、撮影場所を表示する方法や、テキスト表示の様に画像表示と撮影日、撮影場所をテキストで同時に表示する方法などの付加情報として使用することも可能である。
【００３９】
また、携帯電話機１００の内部で、基地局識別番号から基地局位置を検索させてもよい。この構成を図７に示す。本構成の場合、携帯電話機１００のデータメモリ１０８に、基地局識別番号から基地局１１４の位置を検索する位置データを保存し、中央制御部１０６の命令で検索を行うものとする。前述の実施例で示す図１の構成より、位置情報サーバ１１１に位置情報を検索させずにすむので、携帯電話機１００と位置情報サーバデータ１１１との間の通信分だけ、処理が早くなる。
【００４０】
なお、先の実施例で説明したように、ハンドオーバによる基地局識別情報の変更があるので、本実施例でも、電源投入時における基地局の場所特定とは別に、画像撮像直後に基地局の場所特定を行うようにすることで、正確な場所の特定が可能となる。
【００４１】
上記各実施例では、携帯電話機について述べたが、一般に、カメラ付の携帯情報端末に広く適用できることは明白である。
【００４２】
【発明の効果】
本発明による第１の効果は、カメラで撮像した保存画像がタイトルだけで、いつ、どこで撮影したかユーザに認識させることができることである。その理由は、カメラで撮像した時の通信基地局の位置情報と計時部から日付データをタイトルに表示することで、いつ、どこで撮影したか容易に認識できるからである。
【００４３】
第２の効果は、携帯情報端末にＧＰＳを搭載しなくても安易な構成でおおよその撮像場所を取得できることである。その理由は、基地局を表す基地局識別番号を検索することで場所を特定できるからである。
【００４４】
第３の効果は、携帯情報端末を持ってユーザが移動しても、常に正しい撮像場所を取得できることである。その理由は、電源投入後の基地局の位置情報と、撮像直後の基地局の位置情報とを比較するようにしているので、ハンドオーバにも十分対処できるからである。
【図面の簡単な説明】
【図１】本発明の一実施例の構成を示す図である。
【図２】本発明の一実施例の動作を示す図である。
【図３】複数の基地局と携帯電話機との関係を示す図である。
【図４】基地局の位置情報を取得する際の説明図である。
【図５】携帯電話機における表示例を示す図である。
【図６】携帯電話機における他の表示例を示す図である。
【図７】本発明の他の実施例の構成を示す図である。
【符号の説明】
１００  携帯電話機
１０１  アンテナ
１０２  送受信部
１０３  カメラ
１０４  画像処理部
１０５  カメラ制御部
１０６  中央制御部
１０７  表示部
１０８  データメモリ部
１０９  計時部
１１０  キー操作部
１１１  位置情報サーバ
１１２  ネットワーク
１１３  基地局制御局
１１４  基地局
【図１】
2005020331.tif 000003
【図２】
2005020331.tif 000004
【図３】
2005020331.tif 000005
【図４】
2005020331.tif 000006
【図５】
2005020331.tif 000007
【図６】
2005020331.tif 000008
【図７】
2005020331.tif 000009